(57)【要約】【課題】塩分を含む地下水等により大地に埋設されるタンクの腐食を抑えることができるタンクの保持装置を提供する。【解決手段】タンクＴの保持装置Ｈは、タンクＴを収容する穴部１と、穴部１の内面とタンクＴの外面との間に空間を形成する支持部２と、形成された空間に淡水を供給する水供給装置４とを備えている。【選択図】　　　　図１
2004026170.tif 000002
【特許請求の範囲】
【請求項１】
穴部にタンクを設置し、前記穴部の内面と該穴部に設置した前記タンクの外面との間の空間に水を供給し、前記水を前記穴部と前記タンクとの間に介在させることを特徴とするタンクの保持方法。
【請求項２】
前記供給する水は、塩分濃度が所定値以下に設定されていることを特徴とする請求項１記載のタンクの保持方法。
【請求項３】
前記空間に対する水の供給動作及び排出動作のうち少なくともいずれか一方を所定時間間隔で行うことを特徴とする請求項２記載のタンクの保持方法。
【請求項４】
前記空間に対する水の供給動作及び排出動作を連続して行うことを特徴とする請求項２記載のタンクの保持方法。
【請求項５】
前記空間の水の塩分濃度を検出し、該検出結果に基づいて前記空間に対する水の供給動作及び排出動作のうち少なくともいずれか一方を行うことを特徴とする請求項２記載のタンクの保持方法。
【請求項６】
前記穴部は底部を有し、前記穴部の底部と前記タンクの底部との間の空間に対して前記水を供給することを特徴とする請求項１〜５のいずれか一項記載のタンクの保持方法。
【請求項７】
タンクを保持するタンクの保持装置であって、
前記タンクを収容する穴部と、
前記穴部の内面と該穴部に設置した前記タンクの外面との間に空間を形成するように前記タンクを支持する支持部と、
前記空間に水を供給する水供給装置とを備えることを特徴とするタンクの保持装置。
【請求項８】
前記水供給装置は淡水を供給することを特徴とする請求項７記載のタンクの保持装置。
【請求項９】
前記水供給装置の供給動作を制御する制御装置と、
前記空間の水の塩分濃度を検出する検出装置とを備え、前記制御装置は前記検出装置の検出結果に基づいて前記水供給装置を制御することを特徴とする請求項７又は８記載のタンクの保持装置。
【請求項１０】
前記穴部は底部を有し、
前記水供給装置は前記穴部の底部と前記タンクの底部との間の空間に対して前記水を供給する供給管を有し、
前記供給管は前記穴部の底部に向けて水を吹き付けるノズル部を有することを特徴とする請求項７〜９のいずれか一項記載のタンクの保持装置。
【発明の詳細な説明】
【０００１】
【発明の属する技術分野】
本発明はタンクの保持方法及び保持装置に関するものである。
【０００２】
【従来の技術】
発電所や工場等において発生する排液は所定のタンクに収容され、その後処理される。ここで、排液を収容するタンクは大地に埋設されている場合が多い。
【０００３】
【発明が解決しようとする課題】
ところで、発電所や工場等が海沿いにあると、大地に埋設されているタンクは塩分を含む地下水（海水）に晒されることになり、塩分により腐食が進行する。
【０００４】
本発明はこのような事情に鑑みてなされたものであって、大地に埋設されるタンクの地下水等による腐食を抑えることができるタンクの保持方法及び保持装置を提供することを目的とする。
【０００５】
【課題を解決するための手段】
上記の課題を解決するため、本発明のタンクの保持方法は、穴部にタンクを設置し、前記穴部の内面と該穴部に設置した前記タンクの外面との間の空間に水を供給し、前記水を前記穴部と前記タンクとの間に介在させることを特徴とする。また、本発明のタンクの保持装置は、タンクを保持するタンクの保持装置であって、前記タンクを収容する穴部と、前記穴部の内面と該穴部に設置した前記タンクの外面との間に空間を形成するように前記タンクを支持する支持部と、前記空間に水を供給する水供給装置とを備えることを特徴とする。
【０００６】
本発明によれば、大地等に形成した穴部にタンクを収容する際、穴部とタンクとの間に水を介在させることにより、タンクが地下水に晒されることを抑えることができる。したがって、タンクの腐食を抑えることができる。なお、穴部は大地に形成されていることに限定されない。
【０００７】
上記記載のタンクの保持方法において、前記供給する水は、塩分濃度が所定値以下に設定されている構成が採用される。また、上記記載のタンクの保持装置において、前記水供給装置は淡水を供給する構成が採用される。
これにより、塩分を含む地下水は塩分濃度（不純物濃度）を所定値以下に設定した水（淡水）で希釈されるため、塩分によるタンクの腐食の進行を抑えることができる。
【０００８】
上記記載のタンクの保持方法において、空間に対する水の供給動作及び排出動作のうち少なくともいずれか一方を所定時間間隔で行う構成が採用される。
これにより、空間の水を定期的に交換することができ、穴部とタンクとの間に介在する水の塩分濃度（不純物濃度）を抑えてタンクの腐食を抑えることができる。
【０００９】
上記記載のタンクの保持方法において、前記空間に対する水の供給動作及び排出動作を連続して行う構成が採用される。
これにより、空間の水は常時循環され、穴部とタンクとの間に介在する水の塩分濃度（不純物濃度）を抑えてタンクの腐食を抑えることができる。
【００１０】
上記記載のタンクの保持方法において、前記空間の水の塩分濃度を検出し、該検出結果に基づいて前記空間に対する水の供給動作及び排出動作のうち少なくともいずれか一方を行う構成が採用される。また、上記記載のタンクの保持装置において、前記水供給装置の供給動作を制御する制御装置と、前記空間の水の塩分濃度を検出する検出装置とを備え、前記制御装置は前記検出装置の検出結果に基づいて前記水供給装置を制御する構成が採用される。
これにより、穴部とタンクとの間に介在する水の塩分濃度を常時所定濃度以下に抑えることができる。
【００１１】
上記記載のタンクの保持方法において、前記穴部は底部を有し、前記穴部の底部と前記タンクの底部との間の空間に対して前記水を供給する構成が採用される。また、上記記載のタンクの保持装置において、前記穴部は底部を有し、前記水供給装置は前記穴部の底部と前記タンクの底部との間の空間に対して前記水を供給する供給管を有し、前記供給管は前記穴部の底部に向けて水を吹き付けるノズル部を有する構成が採用される。
これにより、空間の下部にある比重の大きい塩分を含んだ水や、穴部の底部にあるゴミ等は攪拌され、このゴミ等を空間の水とともに容易に排出できる。
【００１２】
【発明の実施の形態】
以下、本発明のタンクの保持装置について図面を参照しながら説明する。図１は本発明のタンク保持装置の一実施形態を示す側断面図であり、図２は図１のＡ−Ａ断面矢視図であり、図３は図１のＢ−Ｂ断面矢視図である。
図１において、タンクＴを保持する保持装置Ｈは、コンクリート製の土台１００に設けられ、タンクＴを収容可能な穴部１と、穴部１の内部に設けられ、穴部１に収容されたタンクＴを支持する複数の支持部２（２Ａ、２Ｂ）とを備えている。土台１００は大地に埋設されたものであり、穴部１は、上部が開口された有底筒状であって、内周面１ａと底部１ｂとを有している。タンクＴは、例えばステンレス鋼等の金属により構成されており、発電所や工場等で発生した排液が収容される。
【００１３】
支持部２は、穴部１の内周面（内面）１ａとタンクＴの外周面（外面）Ｔａとの間に設けられる複数の支持部２Ａと、穴部１の底部（内面）１ｂとタンクＴの底部（外面）Ｔｂとの間に設けられる複数の支持部２Ｂとを備えている。支持部２Ａ、２Ｂのそれぞれはブロック状である。支持部２Ａは上下方向２箇所に設けられているとともに、図２に示すように、タンクＴの外周面Ｔａに沿って等間隔に設けられている。支持部２ＡはタンクＴを穴部１に対して位置決めするとともに、タンクＴの外周面Ｔａと穴部１の内周面１ａとの間で側部空間Ｓａを形成する。また、支持部２ＢはタンクＴの底部Ｔｂを支持し、タンクＴの底部Ｔｂと穴部１の底部１ｂとの間で底部空間Ｓｂを形成する。側部空間Ｓａと底部空間Ｓｂとは連通しており、以下の説明において、側部空間Ｓａ及び底部空間Ｓｂを総称して適宜「空間Ｓ」と称する。なお、空間Ｓの上部は蓋体３により覆われており、空間Ｓは土台１００と蓋体３とによりほぼ密閉されている。
【００１４】
保持装置Ｈは、前記空間Ｓに対して水を供給する水供給装置４を備えている。水供給装置４は空間Ｓの外部に設けられており、空間Ｓに対して塩分が除去されたあるいは塩分濃度が所定値以下に設定された水（淡水、真水）を供給する。ここで、所定値とは海水の塩分濃度であり、水供給装置４から空間Ｓに対して供給される水の塩分濃度は、少なくとも海水の塩分濃度以下に設定される。なお、本実施形態では、水供給装置４は空間Ｓに対して淡水を供給する。
【００１５】
水供給装置４の供給動作は制御装置ＣＯＮＴにより制御されるようになっている。水供給装置４と空間Ｓとは供給管５により接続されている。供給管５の一端には弁７が設けられている。弁７の開閉動作は制御装置ＣＯＮＴにより制御される。一方、供給管５の他端は底部空間Ｓｂまで延びており、底部空間Ｓｂに対して淡水を供給可能である。なお、蓋体３は供給管５を配置するための孔３ａを有している。
【００１６】
底部空間Ｓｂに配置されている部分の供給管５は、図３（ａ）に示すように環状に形成されている。そして、環状に形成されている供給管５には、穴部１の底部１ｂに対して水を吹き付ける複数のノズル部６が設けられている。ノズル部６は底部１ｂの広範囲に対して水を吹き付け可能なように環状の供給管５に等間隔で多数設けられている。なお、底部空間Ｓｂに配置される供給管５の形状としては環状に限らず、図３（ｂ）に示すように複数の曲線部を有する形状であってもよい。そして、この供給管５にも底部１ｂに向けて水を吹き付け可能な複数のノズル部６が設けられている。図３（ｂ）に示す構成によっても、底部１ｂの広範囲に対して水を吹き付け可能である。
【００１７】
図１に戻って、保持装置Ｈは、空間Ｓの水を空間Ｓの外部に排出可能な排出装置８を備えている。排出装置８は、具体的には、空間Ｓの水面近傍にその一端を接続した排出管により構成されており、排出管８の他端は、土台１００に形成された排水側溝１０１に配置されている。すなわち、排出管（排出装置）８は空間Ｓの水面（表面）近傍の水を排出可能である。排出管８には弁９が設けられており、弁９の開閉動作は制御装置ＣＯＮＴにより制御される。
【００１８】
空間Ｓには、空間Ｓにある水に含まれる塩分濃度を検出可能なセンサ（検出装置）１０が設けられている。本実施形態では、センサ１０はタンクＴの外周面Ｔａに取り付けられている。なお、センサ１０の取り付け位置としては穴部１の内周面１ａでもよく、センサ１０は空間Ｓの任意の位置に取り付け可能である。センサ１０の検出結果は制御装置ＣＯＮＴに出力される。
【００１９】
次に、上述した構成を有する保持装置Ｈを用いてタンクＴを保持する方法について説明する。
タンクＴが穴部１に配置され、支持部２Ａ、２Ｂにより支持されると、穴部１の内面とタンクＴの外面との間には空間Ｓが形成される。そして、タンクＴの上部に蓋体３が設置され、空間Ｓが蓋体３によりほぼ密閉される。次いで、制御装置ＣＯＮＴは水供給装置４により空間Ｓに対して淡水を供給する。穴部１とタンクＴとの間には水（淡水）が介在する。
【００２０】
タンクＴの保管場所が海洋近傍である場合、塩分を含んだ地下水（海水）が大地に埋設されているコンクリート製の土台１００を介して空間Ｓに浸入する場合がある。しかしながら、空間Ｓには淡水が配置されているため、この淡水が浸入してきた海水の塩分濃度を低下する。したがって、タンクＴは高い塩分濃度を有する水に晒されない。
【００２１】
時間が経つと、浸入した海水により空間Ｓの塩分濃度が上昇する。このとき、制御装置ＣＯＮＴは、閉じていた供給管５の弁７を開けるとともに水供給装置４を作動し、空間Ｓに対して淡水を供給する。同時に、制御装置ＣＯＮＴは、閉じていた排出管８の弁９を開ける。こうすることにより、ほぼ密閉されている空間Ｓの水（高い塩分濃度を有する水）は排出管８より空間Ｓの外部に排出される。そして、空間Ｓに配置されていた高い塩分濃度を有する水は水供給装置４から供給された水に交換され、空間Ｓの水の塩分濃度は低下する。
【００２２】
ここで、制御装置ＣＯＮＴは、空間Ｓの水の交換動作、すなわち、淡水の供給動作あるいは空間Ｓの水の排出動作を、予め設定された時間間隔毎に行う。こうすることにより、塩分濃度があるレベルに達するまでは淡水の供給動作を行わなくていいので、淡水を過剰に消費することがない。
【００２３】
もちろん、制御装置ＣＯＮＴは、排出管８の弁９を常時開放するとともに、供給管５の弁７も常時開放し、水供給装置４を駆動して空間Ｓの水の交換動作、すなわち供給動作及び排出動作を連続して行うようにしてもよい。こうすることにより、空間Ｓの水の塩分濃度は常に低い値に維持される。
【００２４】
あるいは、制御装置ＣＯＮＴは、センサ１０により検出した空間Ｓの水の塩分濃度に基づいて、塩分濃度が所定値に達したら空間Ｓの水の交換動作、すなわち水の排出動作及び供給動作を行うようにしてもよい。
【００２５】
ここで、供給管５からは、ノズル部６を介して穴部１の底部１ｂに吹き付けるように水が供給される。これにより、底部１ｂに沈殿していたゴミ等が攪拌され、攪拌されたゴミ等は底部空間Ｓｂより上部に設けられた排出管８から空間Ｓの外部に円滑に排出される。
【００２６】
以上説明したように、土台１００に形成した穴部１にタンクＴを収容する際、穴部１とタンクＴとの間に塩分濃度や不純物濃度が低減された水を介在させたことにより、タンクＴが塩分や不純物を含む地下水に晒されることを抑えることができる。したがって、タンクＴの腐食を抑えることができる。
【００２７】
そして、供給する水の塩分濃度を所定値以下に設定した淡水とすることにより、塩分を含む地下水は淡水により希釈されるとともに、地下水は淡水によりタンクＴに対して遮蔽されるため、塩分によるタンクＴの腐食の進行を抑えることができる。
【００２８】
穴部１の底部１ｂとタンクＴの底部Ｔｂとの間の底部空間Ｓｂに対して淡水を供給するようにしたので、空間Ｓの下部にある比重の大きい塩分を含んだ水を攪拌しつつ上部に移動し、空間Ｓの水を上部から容易に排出することができる。　更に、穴部１の底部１ｂに向けてノズル部６より吹き付けるようにして水を供給することにより、穴部１の底部１ｂにあるゴミ等を攪拌し、このゴミ等を空間Ｓの水とともに容易に排出することができる。
【００２９】
なお、上記実施形態では、空間Ｓに淡水を供給するように説明したが、海水を処理して塩分濃度を所定濃度以下（海水の塩分濃度以下）に設定した水でもよい。すなわち、地下水（海水）の塩分濃度を希釈できる水であればよい。前記所定濃度は、タンクの材質に基づき適宜設定変更可能である。
【００３０】
上記実施形態では、空間Ｓに水を供給するように説明したが、地下水（海水）によるタンクの腐食の進行を遅らせることができる物質（液体）であればよい。
【００３１】
上記実施形態では、空間Ｓの水を排出する排出装置は、空間Ｓの水面（表面）近傍の水を排出可能な排出管８により構成されており、ポンプ等の駆動源を有していない。このような構成とすることにより保持装置Ｈ全体の装置構成を簡略化できる。また、排出管８を設ける位置は、空間Ｓの水の水面近傍に限られず、底部近傍に設定することも可能である。
【００３２】
一方、排出装置にポンプ等の駆動源を設け、空間Ｓ内の水を強制的に（能動的に）排出可能な構成としてもよい。この場合、駆動源を備えた排出管８の一端を例えば底部空間Ｓｂに接続し、他端を側溝１０１に接続することにより、底部空間Ｓｂに存在するゴミ等を強制的に空間Ｓの外部に排出可能となる。更に、排出装置に駆動源を設けることにより、水供給装置４による空間Ｓに対する水（淡水）の供給動作を停止して排出装置による排出動作を行うことができる。これにより、空間Ｓの水を一旦空にすることができ、その後水供給装置４による空間Ｓに対する水の供給動作を行うことにより、空間Ｓを塩分濃度が十分に低減された水（淡水）で満たすことができる。
【００３３】
上記実施形態において、タンクは発電所や工場等において発生した排液を収容することを想定しているが、もちろん、タンクに収容する収容物は排液に限られるものではない。地下水や、地下水以外の不純物を含む液体に晒される環境下に設置される全てのタンクに対して適用可能である。
【００３４】
【発明の効果】
以上説明したように、穴部とタンクとの間に海水より塩分濃度の低い水を介在させたので、空間に海水が浸入してもこの海水を希釈することができ、塩分によるタンクの腐食を防止することができる。したがって、タンクは収容物を長期間収容可能となる。
【図面の簡単な説明】
【図１】本発明のタンクの保持装置の一実施形態を示す側方断面図である。
【図２】図１のＡ−Ａ矢視断面図である。
【図３】図１のＢ−Ｂ矢視断面図である。
【符号の説明】
１　　穴部
１ａ　　穴部の内周面（内面）
１ｂ　　穴部の底部（内面）
２（２Ａ、２Ｂ）　　支持部
４　　水供給装置
５　　供給管
６　　ノズル部
８　　排気管（排出装置）
１０　　センサ（検出装置）
ＣＯＮＴ　　制御装置
Ｈ　　保持装置
Ｓ　　空間
Ｓａ　　側部空間
Ｓｂ　　底部空間
Ｔ　　タンク
Ｔａ　　タンクの外周面（外面）
Ｔｂ　　タンクの底部（外面）
【図１】
2004026170.tif 000003
【図２】
2004026170.tif 000004
【図３】
2004026170.tif 000005